(57)【要約】【課題】ブドウ状態の発生を抑制できる遊技機を提供する。【解決手段】パチンコ機の遊技盤２の略中央部にはセンター役物６０が設けられる。センター役物６０は上端部に飛込み口８０を備え、さらに、飛込み口８０に対して左右一対の右側案内部材６１及び左側案内部材６２と右側アウト口７１及び左側アウト口７２とを備える。右側アウト口７１は右側開口部７１Ａを備え、左側アウト口７２は左側開口部７２Ａを備える。右側開口部７１Ａ、左側開口部７２Ａは、それぞれ、右側案内部材６１上、左側案内部材６２上を遊技球５０が転動する際に通過する遊技盤２上の一部を前後方向に貫通する。【選択図】図３
2014136093.tif 000002
【特許請求の範囲】
【請求項１】
遊技盤上を流下する遊技球が入球可能な入球部と、
前記入球部の近傍から前記遊技盤の下側へ向かって傾斜し、前記遊技球を前記下側へ案内可能な案内部材と、
前記案内部材の上面を形成し、前記遊技球が転動可能な転動面と、
前記転動面上を前記遊技球が転動する際に通過する前記遊技盤上で開口し、前記遊技球を回収可能なアウト口と
を備えたことを特徴とする遊技機。
【請求項２】
前記入球部に入球した遊技球を用いた演出を実行可能な役物を内側に有するセンター役物を備え、
前記センター役物は、前後方向に奥行きを有し前記内側を取り囲む外周壁を備え、
前記案内部材は前記外周壁の一部を形成することを特徴とする請求項１に記載の遊技機。
【請求項３】
前記アウト口は、開口部の下端が前記転動面に沿って設けられていることを特徴とする請求項１又は２に記載の遊技機。
【請求項４】
前記転動面は、前記遊技盤の前面と直交する曲面であることを特徴とする請求項１から３のいずれかに記載の遊技機。
【請求項５】
前記案内部材及び前記アウト口は、前記センター役物と一体に構成されていることを特徴とする請求項２に記載の遊技機。
【請求項６】
前記入球部は前記センター役物の上端部に設けられ、
前記案内部材及び前記アウト口は、前記入球部に対して左右一対に設けられていることを特徴とする請求項２に記載の遊技機。
【発明の詳細な説明】
【技術分野】
【０００１】
本発明は、遊技領域内にて遊技球が滞留し積み上がる事態を抑制する遊技機に関する。
【背景技術】
【０００２】
従来、遊技機のガラス板の前面に磁石を近づける等の手段で、遊技領域内を流下する複数の遊技球を、入賞口付近等の所定領域に滞留させる不正行為（所謂、ブドウ玉ゴト）が知られている。遊技球が所定領域に滞留し積み上がる状態（所謂、ブドウ状態）が発生すると、後続の遊技球が入球部に不当に入球し易くなる。
【０００３】
こうしたブドウ玉ゴトに対処する為に、特許文献１に開示の発明は、遊技盤の背面側に、球詰まり検知装置と振動発生装置を備える。球詰まり検知装置は、遊技領域の外周部の一部を形成する内側レールと、内側レールと遊技領域内で対向する入球部との導通状態を監視する。振動発生装置は、モータと、モータの回転軸に取り付けたクランク軸と、クランク軸から遊技盤の背面部まで前後方向に延びるアーム部材とを備える。
【０００４】
内側レールと入球部との間で球詰まりが起きると、内側レールと入球部とが互いに導通可能になるので、球詰まり検知装置はブドウ状態の発生を検知できる。この場合、振動発生装置は、モータを駆動しアーム部材を前後方向に往復運動させることで、遊技盤を振動させる。これにより、滞留していた遊技球は遊技盤の下部へ落下し、ブドウ状態が解消される。
【先行技術文献】
【特許文献】
【０００５】
【特許文献１】特開２０１０−１９４２２２号公報
【発明の概要】
【発明が解決しようとする課題】
【０００６】
しかしながら、上記遊技機では、ブドウ状態の発生自体を抑制できず、ブドウ状態が解消されるまでに、入球部への不当な入球が発生する虞があった。また、上記遊技機では、球詰まり検知装置や振動発生装置等の付加的装置を必要とし、これらの装置が故障した場合にブドウ状態を防止できないという問題があった。
【０００７】
本発明は、ブドウ状態の発生を抑制できる遊技機を提供することを目的とする。
【課題を解決するための手段】
【０００８】
本発明に係る遊技機は、遊技盤上を流下する遊技球が入球可能な入球部と、前記入球部の近傍から前記遊技盤の下側へ向かって傾斜し、前記遊技球を前記下側へ案内可能な案内部材と、前記案内部材の上面を形成し、前記遊技球が転動可能な転動面と、前記転動面上を前記遊技球が転動する際に通過する前記遊技盤上で開口し、前記遊技球を回収可能なアウト口とを備える。
【０００９】
上記遊技機では、転動面上で滞留しようとする遊技球は、滞留して積み上がる前にアウト口を通過し遊技盤から排出される。従って、遊技機はブドウ状態の発生を抑制できる。また、ブドウ状態の発生を抑制するための付加的な装置を必要としないので、遊技機の故障のおそれを低減できる。
【００１０】
前記遊技機は、前記入球部に入球した遊技球を用いた演出を実行可能な役物を内側に有するセンター役物を備え、前記センター役物は、前後方向に奥行きを有し前記内側を取り囲む外周壁を備え、前記案内部材は前記外周壁の一部を形成してもよい。センター役物を備えることで遊技機の遊技性を高めることができる。また、案内部材がセンター役物の外周壁の一部を兼ねることで、遊技盤上のスペースを有効利用できる。
【００１１】
前記遊技機において、前記アウト口は、開口部の下端が前記転動面に沿って設けられていてもよい。転動面上で滞留しようとする遊技球はアウト口に移動し易いため、ブドウ状態をより発生しにくくできる。
【００１２】
前記遊技機において、前記転動面は、前記遊技盤の前面と直交する曲面であってもよい。転動面上を転動する遊技球は、自重によってアウト口の前方を転動するので、アウト口に回収されにくい。従って、転動面上で滞留しようとする遊技球のみがアウト口に回収され易くできる。
【００１３】
前記遊技機において、前記案内部材及び前記アウト口は、前記センター役物と一体に構成されていてもよい。遊技機の組立時において、センター役物を遊技機に組み付けると、案内部材及びアウト口も同時に遊技機に組み付けることができる。従って、遊技機の組み立て性を向上させることができる。
【００１４】
前記遊技機において、前記入球部は前記センター役物の上端部に設けられ、前記案内部材及び前記アウト口は、前記入球部に対して左右一対に設けられていてもよい。入球部がセンター役物の上端部に設けてあることで、遊技者は入球部を狙い易いので、遊技機の遊技性が高まる。さらに、入球部へ入球できなかった遊技球は左右一対の案内部材によって案内され易く、案内部材の転動面上で滞留しようとする遊技球はアウト口に回収される。従って、入球部近傍でのブドウ状態をより発生しにくくできる。
【図面の簡単な説明】
【００１５】
【図１】パチンコ機１の正面図である。
【図２】遊技盤２の正面図である。
【図３】センター役物６０の上部の部分拡大図である。
【図４】図３のＩ―Ｉ線における矢視方向断面図である。
【図５】遊技球５０を第三流路６７へ案内する切替え部材６５の正面図である。
【図６】右側アウト口７１が遊技球５０Ｂを回収する場合における図３のＩ―Ｉ線の矢視方向断面図である。
【発明を実施するための形態】
【００１６】
本発明に係る遊技機の一実施形態であるパチンコ機１について、図面を参照して説明する。以下の説明では、図１及び図２の手前側、奥側、上側、下側、左側、右側を、それぞれ、パチンコ機１の前側（正面側）、後側（背面側）、上側、下側、左側、右側とする。
【００１７】
図１及び図２を参照して、パチンコ機１の概略構成を説明する。パチンコ機１の上３分の２には、遊技盤２が設けられている。遊技盤２は、正面視略正方形の板状であり、透明なガラス板を保持した前面枠１３によって前面を保護されている。遊技盤２の下部には上皿５が設けられている。上皿５は、発射機（図示外）に金属製の遊技球５０（図５参照）を供給し、且つ賞品球を受ける。上皿５の上部中央には、遊技者によって操作される操作ボタン９が設けられている。上皿５の直下には、賞品球を受ける下皿１０が設けられている。下皿１０の右横には、遊技球５０の発射を調整する発射ハンドル１１が設けられている。前面枠１３の上部の左右の角には、スピーカ４８がそれぞれ設けられている。
【００１８】
遊技盤２の前面には、ガイドレール３で囲まれた略円形の遊技領域４が形成されている。遊技領域４内の遊技盤２上には各種の遊技部材が設けられる。発射機によって発射される遊技球５０は、後述する右側案内部材６１等の遊技部材に案内されることで、遊技領域４内の遊技盤２上を下側へ向かって流下できる。
【００１９】
遊技領域４の略中央には、ＬＣＤ（液晶ディスプレイ）等で構成される画像表示装置２８が設けられている。画像表示装置２８は、動画等の様々な映像を表示可能な表示面２８Ａを有する。画像表示装置２８は、大当たり判定の結果を報知するためのデモ図柄を表示する。パチンコ機１は、複数（本実施形態では３つ）のデモ図柄を変動させた後に、大当たり判定の結果を示すデモ図柄の組合せを確定表示させる報知演出を実行することで、大当たり判定の結果を遊技者に報知する。
【００２０】
遊技盤２の中央部には、画像表示装置２８の表示面２８Ａを取り囲むように、前方に突出する正面視円形状のセンター役物６０が取り付けられる。センター役物６０の上端部には上方に開口した飛込み口８０が設けられ、下端部には第一入賞口１６が設けられる。また、センター役物６０は、前後方向に奥行きを有する正面視環状の外周壁６００を備える。飛込み口８０、第一入賞口１６、及び外周壁６００は、センター役物６０と一体に構成されている。
【００２１】
センター役物６０の右方には普通図柄始動ゲート１２が設けられ、下方には第二入賞口７５が設けられる。普通図柄始動ゲート１２の下方には第一大入賞口１８、第二大入賞口１９が上下方向に並んで設けられる。第二入賞口７５の下方であって、遊技領域４の中央下端部には下側アウト口８が設けられている。第一入賞口１６、第二入賞口７５、第一大入賞口１８、又は第二大入賞口１９等に入球せずに、遊技領域４の下側まで流下する遊技球５０は、下側アウト口８によって回収され、遊技盤２外に排出される。
【００２２】
図２、図３を参照し、センター役物６０が外周壁６００の内側に備える役物について説明する。センター役物６０は内側に、飛込み口８０の右側下部と接続し下方に延びる第一流路７４と、第一流路７４の下端部と接続するクルーン７３と、クルーン７３の下方であって表示面２８Ａの上方に設けられた切替え部材６５と、切替え部材６５から表示面２８Ａの左側を下方に延びる第二流路６６と、切替え部材６５から表示面２８Ａの右側を下方に螺旋状に延びる第三流路６７と、第三流路６７の下端部と接続する略直方体状の貯留装置６８と、表示面２８Ａの下方に設けられるクルーン６９と、表示面２８Ａの左側上方に設けられるタッチセンサ７０とを役物として備える。
【００２３】
図３に示すように、第一流路７４は、飛込み口８０とクルーン７３とを接続する。クルーン７３は、上側が開口する正面視略Ｕ字状の遊技部材である。クルーン７３の右側上部は、第一流路７４の下端部と接続する。クルーン７３の側壁は、外側に向かって突出する凸状をなす。第一流路７４から落下する遊技球５０は、右斜め上方から左斜め下方へ向かいながらクルーン７３に入球する。これにより、クルーン７３に入球する遊技球５０は、クルーン７３の内周壁に沿って旋回し、旋回の勢いが弱まると内周壁の下端に設けられる貫通孔から落下できる。
【００２４】
切替え部材６５は略棒状の遊技部材であり、一端側が支軸６５Ａにて回転可能に軸支され、他端側に略Ｕ字状のクルーン６５Ｂを備える。クルーン６５Ｂは、クルーン７３と同様、入球する遊技球５０を、内周壁に沿って旋回させ、旋回の勢いが弱まると下端に設けた貫通孔から落下させる。切替え部材６５は、図示外のトーションスプリングを備え、支軸６５Ａから左側上方に延びる状態で静止している。切替え部材６５は、クルーン７３から落下する遊技球５０を、第二流路６６又は第三流路６７のいずれかに案内できる。
【００２５】
図２に示すように、第二流路６６は、切替え部材６５によって案内される遊技球５０（図５参照）をクルーン６９へと案内する。第三流路６７は、切替え部材６５によって案内される遊技球５０を貯留装置６８へと案内する。貯留装置６８は遊技球５０を１球だけ内部に貯留できる。貯留装置６８は内部に貯留解除ソレノイド（図示外）を備える。遊技者がタッチセンサ７０に手をかざすことで、貯留解除ソレノイドは動作し、貯留される遊技球５０はクルーン６９へ向けて排出される。
【００２６】
クルーン６９は下側が開口する円形皿状の遊技部材である。クルーン６９の上面には、遊技球５０を通過させる貫通孔が円周方向に沿って複数設けられている。第二流路６６を通過する遊技球５０及び貯留装置６８によって排出される遊技球５０は、クルーン６９の貫通孔を通過して落下する。落下する遊技球５０は第一入賞口１６へと向かう。第一入賞口１６に入球しない場合、遊技球５０は、遊技領域４の下端部まで落下し、下側アウト口８によって回収される。
【００２７】
図２、図３を参照し、センター役物６０の外周壁６００の構成について説明する。正面視環状の外周壁６００は、上端部にある飛込み口８０の左右両端から円周方向に沿って、下端部にある第一入賞口１６近傍まで形成される。外周壁６００は、センター役物６０の内側にあるクルーン７３等の役物を取り囲んでいる。外周壁６００は、外周壁６００の右側上部を形成する右側案内部材６１と、左側上部及び左側部を形成する左側案内部材６２とを備える。右側案内部材６１及び左側案内部材６２は、センター役物６０と一体に構成される外周壁６００の一部を形成する。つまり、右側案内部材６１及び左側案内部材６２は、センター役物６０と一体に構成されている。
【００２８】
右側案内部材６１及び左側案内部材６２は、飛込み口８０に対して左右一対に設けられ、飛込み口８０への入球に失敗した遊技球５０を、遊技盤２の下側へと転動させる。右側案内部材６１及び左側案内部材６２における転動方向の上流側端部は、それぞれ、飛込み口８０の近傍に配置されていればよく、飛込み口８０の左右両端に接触していなくてよい。ここで飛込み口８０の近傍とは、右側案内部材６１及び左側案内部材６２が飛込み口８０への入球に失敗した遊技球５０を、センター役物６０の内側に入り込ませることなく、遊技盤２の下側へ案内可能な領域であって、飛込み口８０の外周面を含む。
【００２９】
図３に示すように、右側案内部材６１は右側転動面６１０を備える。右側転動面６１０は、右側案内部材６１の上面の一部を形成し、遊技盤２の前面と直交しつつ、飛込み口８０の右端から遊技盤２の下側に向かって円弧状に傾斜している。右側転動面６１０は、第一右側転動面６１１と、第二右側転動面６１２とを有する。第一右側転動面６１１は、飛込み口８０の右端から外周壁６００の円周方向に沿って延びる曲面である。第二右側転動面６１２は、第一右側転動面６１１の右端から右方に延びる略水平面である。飛込み口８０に入球できず、飛込み口８０の右側に流下する遊技球５０は、右側転動面６１０上を転動することで、遊技盤２の下側へ案内される。
【００３０】
左側案内部材６２は左側転動面６２０を備える。左側転動面６２０は、左側案内部材６２の上面の一部を形成し、第一左側転動面６２１と、第二左側転動面６２２とを有する。左側転動面６２０は、飛込み口８０に対して右側転動面６１０と左右対称な形状をなすため、詳細な説明は省略する。
【００３１】
センター役物６０は、右側案内部材６１の後方に略箱状の右側アウト口７１を備える。右側アウト口７１は、複数の遊技球５０が右側転動面６１０上で滞留し積み上がる状態（所謂、ブドウ状態）を形成しようとする遊技球５０を回収する。回収の詳細は後述する。尚、第一右側転動面６１１が遊技盤２の前面と直交する曲面である為、右側転動面６１０上を転動する遊技球５０（図５参照）は自重で右側アウト口７１の前方を転動方向に転動し、回収されにくい構成となっている。また、右側アウト口７１は、センター役物６０と一体に構成されている。
【００３２】
右側アウト口７１は、正面視略矩形状の右側開口部７１Ａと、右側面視略矩形状の右側排出口７１Ｂ（図４参照）とを有する。右側開口部７１Ａは、右側アウト口７１の前面及び遊技盤２を前後方向に貫通する。右側開口部７１Ａは、第一右側転動面６１１の右側及び第二右側転動面６１２上を転動する際に遊技球５０が通過する遊技盤２上に設けられ、且つ下端が右側転動面６１０に沿うようにして設けられる。図４に示すように、右側排出口７１Ｂは、右側アウト口７１の右側面の奥側を左右方向に貫通し、右側開口部７１Ａを通過する遊技球５０（図５参照）を、遊技盤２外へと排出できる。
【００３３】
図３に示すように、センター役物６０は、左側案内部材６２の後方に左側アウト口７２を備える。左側アウト口７２は、左側開口部７２Ａと、左側排出口（図示外）とを有する。左側アウト口７２は、飛込み口８０に対して右側アウト口７１と左右対称な形状をなすため、詳細な説明は省略する。
【００３４】
次に、図３、図５を参照し、遊技領域４（図２参照）内の遊技盤２上を流下する遊技球５０が、飛込み口８０に入球し、センター役物６０の内側を流下する概略を説明する。図３に示すように、飛込み口８０へと入球した遊技球５０は、第一流路７４を通過し、クルーン７３に入球する。遊技球５０は、クルーン７３の内周壁を旋回した後、切替え部材６５へと落下し、切替え部材６５によって左側（矢印Ａ方向）に案内され、支軸６５Ａからクルーン６５Ｂへと流下する。
【００３５】
図５に示すように、遊技球５０がクルーン６５Ｂへと流下すると、遊技球５０の自重によって、切替え部材６５はクルーン６５Ｂの下端部が第二流路６６の上端部に接続する位置まで回転する。その後、クルーン６５Ｂの貫通孔から落下する遊技球５０は、第二流路６６を通過してクルーン６９（図２参照）へと流下する。
【００３６】
遊技球５０がクルーン６５Ｂの内周壁を旋回している間に、クルーン７３から後続の遊技球５０が落下する場合、遊技球５０は切替え部材６５によって右側（矢印Ｂ方向）に案内され、第三流路６７を通過して、貯留装置６８（図２参照）に貯留される。貯留装置６８から排出される遊技球５０は、クルーン６９（図２参照）へと流下する。
【００３７】
クルーン６９の貫通孔から落下する遊技球５０は、第一入賞口１６（図２参照）へと向かう。第一入賞口１６への入球に失敗した遊技球５０は、下側アウト口８（図２参照）に回収される。
【００３８】
次に、右側案内部材６１上又は左側案内部材６２上でブドウ状態を形成しようとする遊技球５０を、右側アウト口７１又は左側アウト口７２が回収する詳細について説明する。ブドウ状態は、遊技者がガラス板の前面に磁石７７（図６参照）を近づける等の手段で、複数の遊技球５０を所定領域に滞留させる不正行為（所謂、ブドウ玉ゴト）によって主に発生する。ブドウ状態が発生し、右側案内部材６１及び左側案内部材６２上で遊技球５０が積み上がると、後続の遊技球５０は、積み上がった遊技球５０によって飛込み口８０へ案内され易くなる。この結果、遊技球５０が飛込み口８０に不当に入球し易くなり、ひいては第一入賞口１６（図２参照）への入賞が不当に発生し易くなる。
【００３９】
以下の説明では、図６を参照し、ブドウ玉ゴトにより第二右側転動面６１２の前方に磁石７７が配置された場合について説明する。この場合、右側転動面６１０上を転動する遊技球５０Ａは、磁石７７の磁力によって、第二右側転動面６１２上の前側で滞留する。尚、磁石７７の磁力によって滞留する遊技球５０Ａは複数となる場合もあるが、説明の便宜上、滞留する遊技球５０Ａは１球のみとする。
【００４０】
右側転動面６１０上を転動方向（矢印Ｃ方向）へ転動する後続の遊技球５０Ｂは、遊技球５０Ａに衝突後、後方（矢印Ｄ方向）へと転動し、右側開口部７１Ａを通過する。右側開口部７１Ａを通過した遊技球５０Ｂは、右側排出口７１Ｂを通過し、遊技盤２外へ排出される。この結果、ブドウ玉ゴトが行われた場合であっても、右側転動面６１０上で後続の遊技球５０Ｂが積み上がることがない。従って、ブドウ状態の発生を抑制できる。
【００４１】
尚、第二左側転動面６２２（図５参照）上で滞留しようとする遊技球５０を左側アウト口７２が回収する方法も同様であるので、詳細な説明は省略する。
【００４２】
以上、説明したように、第二右側転動面６１２又は第二左側転動面６２２上で遊技球５０が滞留し、後続の遊技球５０が衝突して滞留しようとする場合、後続の遊技球５０は右側アウト口７１又は左側アウト口７２によって回収される。従って、右側転動面６１０上又は左側転動面６２０上で、後続の遊技球５０が積み上がる事態は発生しにくい。従って、パチンコ機１はブドウ状態の発生を抑制できる。また、パチンコ機１はブドウ状態の発生を抑制するための付加的な装置を必要としないので、故障のおそれを低減できる。
【００４３】
また、パチンコ機１は遊技盤２の中央部にセンター役物６０を備える。従って、パチンコ機１の遊技性を高めることができる。さらに、右側案内部材６１及び左側案内部材６２は、センター役物６０の外周壁６００の一部を形成する。従って、遊技領域４内にある遊技盤２上のスペースを有効利用できる。
【００４４】
また、右側開口部７１Ａは下端が右側転動面６１０に沿って設けられ、左側開口部７２Ａは下端が左側転動面６２０に沿って設けられる。従って、右側転動面６１０上又は左側転動面６２０上で滞留しようとする遊技球５０は、右側アウト口７１又は左側アウト口７２に移動し易い。従って、ブドウ状態をより発生しにくくできる。
【００４５】
また、第一右側転動面６１１及び第一左側転動面６２１は、遊技盤２の前面と直交する曲面である。従って、右側転動面６１０上又は左側転動面６２０上を転動する遊技球５０は、右側アウト口７１又は左側アウト口７２の前方を転動方向に転動する。それ故、右側転動面６１０又は左側転動面６２０上で滞留する遊技球５０のみが右側アウト口７１又は左側アウト口７２に回収され易くなる。
【００４６】
また、右側案内部材６１、左側案内部材６２、右側アウト口７１、及び左側アウト口７２は、センター役物６０と一体に構成されている。従って、パチンコ機１の組立時において、センター役物６０をパチンコ機１に組み付けると、右側案内部材６１、左側案内部材６２、右側アウト口７１、及び左側アウト口７２も同時にパチンコ機１に組み付けることができる。それ故、パチンコ機１の組立性を向上できる。
【００４７】
また、飛込み口８０はセンター役物６０の上端部に設けられている。従って、遊技者は、遊技球５０を飛込み口８０に狙い易いので、パチンコ機１の遊技性は高まる。また、右側案内部材６１及び左側案内部材６２と右側アウト口７１及び左側アウト口７２は、それぞれ、飛込み口８０に対して左右一対に設けられている。従って、飛込み口８０へ入球できなかった遊技球５０は、右側案内部材６１又は左側案内部材６２によって案内され易い。また右側転動面６１０上又は左側転動面６２０上で滞留しようとする遊技球５０は、右側アウト口７１又は左側アウト口７２によって回収される。従って、パチンコ機１の遊技性を高めつつ、飛込み口８０近傍でのブドウ状態を発生しにくくできる。
【００４８】
本発明は、上記実施形態に限定されるものではなく、本発明の要旨を逸脱しない範囲内での変更が可能である。上記実施形態では、右側開口部７１Ａ、左側開口部７２Ａは、それぞれ、第二右側転動面６１２、第二左側転動面６２２の後方に設けられているがこれに限られない。例えば、第一右側転動面６１１、第一左側転動面６２１の転動方向上流側の端部の後方に設けてもよい。
【００４９】
また、本実施形態では、右側案内部材６１及び左側案内部材６２と右側アウト口７１及び左側アウト口７２は、それぞれ、飛込み口８０に対して左右一対に設けられているがこれに限られない。例えば、第二入賞口７５に対して左右一対に設けてもよい。
【００５０】
また、本実施形態では、右側アウト口７１と左側アウト口７２は、飛込み口８０に対して左右対称な形状をなすがこれに限られない。例えば、右側アウト口７１と左側アウト口７２が左右対称な形状でなくてもよいし、いずれか一方だけをパチンコ機１が備えていてもよい。
【００５１】
なお、上記実施形態において、パチンコ機１が本発明の「遊技機」に相当する。
飛込み口８０が本発明の「入球部」に相当する。右側案内部材６１及び左側案内部材６２が本発明の「案内部材」に相当する。右側転動面６１０及び左側転動面６２０が本発明の「転動面」に相当する。右側アウト口７１及び左側アウト口７２が本発明の「アウト口」に相当する。右側開口部７１Ａ及び左側開口部７２Ａが本発明の「開口部」に相当する。
【符号の説明】
【００５２】
１      パチンコ機
２      遊技盤
５０，５０Ａ，５０Ｂ  遊技球
６０    センター役物
６１    右側案内部材
６２    左側案内部材
７１    右側アウト口
７２    左側アウト口
７１Ａ  右側開口部
７２Ａ  左側開口部
８０    飛込み口
６００  外周壁
６１０  右側転動面
６２０  左側転動面
【図１】
2014136093.tif 000003
【図２】
2014136093.tif 000004
【図３】
2014136093.tif 000005
【図４】
2014136093.tif 000006
【図５】
2014136093.tif 000007
【図６】
2014136093.tif 000008